(57)【要約】【課題】  設置状態に応じたディスクのローディング方向を取り扱い説明書で説明しているが、弱視者や高齢者等に対してガイド内容を十分説明できない場合があった。【解決手段】  本発明に係る宅内装置は、縦置きないし横置きのいずれの状態でも設置可能に形成された筐体１に、光ディスクを挿入ないし排出するディスクローディング部１０を設け、操作ボタン１２または遠隔操作により入力される制御信号に応じてディスクローディング部を介して光ディスクの挿入ないし排出させる機能を実行する宅内装置において、縦置きないし横置きのいずれの設置状態で設置されているかを検出し、筐体１の設置状態に応じて、縦置きないし横置きの操作ガイド内容を自動的に切り替えることによって、ユーザーに適切なガイド情報を伝えることができるという効果を奏する。【選択図】  図４
2014067465.tif 000002
【特許請求の範囲】
【請求項１】
縦置きないし横置きのいずれの状態でも設置可能に形成された筐体に、光ディスクを挿入ないし排出するディスクローディング部を設け、前記筐体に設置された操作ボタンまたは遠隔操作により入力される制御信号に応じて前記ディスクローディング部を介して前記光ディスクの挿入ないし排出させる機能を実行する宅内装置において、
前記筐体が縦置きないし横置きのいずれの設置状態で設置されているかを検出する加速度検出部と、
この加速度検出部による前記筐体の設置状態に応じて、縦置き状態ないし横置き状態の操作ガイドのいずれかを選択するとともに、選択された操作ガイドを出力する制御部とを設けたことを特徴とする宅内装置。
【請求項２】
音声情報を再生する音声再生部を備え、制御部は、操作ガイドを音声情報として前記音声再生部から出力することを特徴とする請求項１に記載の宅内装置。
【請求項３】
映像情報を表示する映像表示部を備え、制御部は、操作ガイドを映像情報として前記映像表示部から出力することを特徴とする請求項１に記載の宅内装置。
【請求項４】
音声情報を再生する音声再生部、映像情報を表示する映像表示部を備え、制御部は、操作ガイドを音声情報及び映像情報として前記音声再生部及び前記映像表示部から出力することを特徴とする請求項１に記載の宅内装置。
【請求項５】
制御部は、操作ボタンまたは遠隔操作により入力される制御信号に応じて、前記操作ボタン又は前記制御信号に対応する操作のガイドを開始することを特徴とする請求項１から請求項４のいずれか一項に記載の宅内装置。
【請求項６】
加速度検出部により検出された検出結果を記録する記憶部を設けたことを特徴とする請求項１から請求項５のいずれか一項に記載の宅内装置。
【発明の詳細な説明】
【技術分野】
【０００１】
この発明は、ディスクドライブを備えた宅内装置に関するものであって、特に縦置き若しくは横置きに設置されていることを自己検出することを特徴とする宅内装置に関する。
【背景技術】
【０００２】
従来の宅内装置は、縦置き、横置きの両方に対応する製品がある(たとえばデスクトップ型のＰＣ等)。それらの製品マニュアルを参照すると、縦置き若しくは横置きの代表例に対して、代用的な設置方法が記載されている。例えば、ディスクドライブを実装した製品を例に取ると、縦置き若しくは横置きで設置した際の代表的なローディング方向が示されている。
【０００３】
特許文献１には、ディスクドライブが縦置きの場合にディスクの脱落を確実に防止できるとともに、横置きの場合にトレイを高速で開閉できるディスクドライブのトレイ開閉装置が開示されている。特許文献１に開示のディスクドライブのトレイ開閉装置は、縦置きか横置きかを検出するスイッチを備え、スイッチの出力に基づいて、横置きの場合にはトレイを高速で開閉させ、縦置きの場合には、モータを通常の速度より低速で駆動し、トレイをゆっくりと開閉する。
【先行技術文献】
【特許文献】
【０００４】
【特許文献１】特開２００４―２８０９８５号公報
【発明の概要】
【発明が解決しようとする課題】
【０００５】
ところで、従来の宅内装置は縦、横の設置方法や、ディスクのローディング方向を取り扱い説明書で説明している。しかし、この場合、弱視者や高齢者等に対して、正確なディスクのローディング方向が伝わらない場合があった。
【課題を解決するための手段】
【０００６】
本発明に係る宅内装置は、縦置きないし横置きのいずれの状態でも設置可能に形成された筐体に、光ディスクを挿入ないし排出するディスクローディング部を設け、筐体に設置された操作ボタンまたは遠隔操作により入力される制御信号に応じてディスクローディング部を介して光ディスクの挿入ないし排出させる機能を実行する宅内装置において、筐体が縦置きないし横置きのいずれの設置状態で設置されているかを検出する加速度検出部と、この加速度検出部による筐体の設置状態に応じて、縦置き状態ないし横置き状態の操作ガイドのいずれかを選択するとともに、選択された操作ガイドを出力する制御部とを設けたものである。
【発明の効果】
【０００７】
本発明に係る宅内装置は、縦置きないし横置きのいずれの状態でも設置可能に形成された筐体に、光ディスクを挿入ないし排出するディスクローディング部を設け、筐体に設置された操作ボタンまたは遠隔操作により入力される制御信号に応じてディスクローディング部を介して光ディスクの挿入ないし排出させる機能を実行する宅内装置において、筐体が縦置きないし横置きのいずれの設置状態で設置されているかを検出する加速度検出部と、この加速度検出部による筐体の設置状態に応じて、縦置き状態ないし横置き状態の操作ガイドのいずれかを選択するとともに、選択された操作ガイドを出力する制御部とを設けたので、設置方向に応じてガイド内容を自動的に切り替えることによって、ユーザーに適切なガイド情報を伝えることができるという効果を奏する。
【図面の簡単な説明】
【０００８】
【図１】本発明の実施の形態１に係る宅内装置を示す構成図である。
【図２】本発明の実施の形態１に係る宅内装置を示す構成図である。
【図３】本発明の実施の形態１に係る宅内装置を示す構成図である。
【図４】本発明の実施の形態２に係る宅内装置を示す構成図である。
【図５】本発明の実施の形態２に係る宅内装置を示す構成図である。
【図６】本発明の実施の形態２に係る宅内装置を示す構成図である。
【図７】本発明の実施の形態１に係る宅内装置を示す構成図である。
【発明を実施するための形態】
【０００９】
実施の形態１．
以下、この発明の実施の形態を図に基づいて説明する。図１は本発明の実施の形態１に係る宅内装置を示す構成図である。図１において、筐体１内部に電子部品を実装する基板２が設けられている。筐体１が縦置きないし横置きのいずれの設置状態で設置されているかを検出する加速度検出部として、基板２上に加速度センサー３が設けられる。更に基板２には電池４、メモリ５や図示しない制御部が実装されている。加速度センサー３は、装置の縦置き並びに横置きのいずれの状態で設置されているかの検知を行う。記憶部であるメモリ５には、加速度センサー３が検知した衝撃の強さを示す値や、その時間等が記録される。メモリ５は落下の衝撃で故障しないように、衝撃吸収材等で保護されている。電池４は、電源からの電力供給がないときにメモリ５に電力を供給するためのバックアップ用の電源としての機能を持つ。
【００１０】
図２及び図３は、本発明の実施の形態１に係る宅内装置の構成を示す図である。図２及び図３において、宅内装置６の内部には図１で示した基板２、加速度センサー３、電池４、メモリ５が設けられている。図２に示す宅内装置６は、音声情報を再生する音声再生部である内部スピーカー７、ＣＤやブルーレイディスク等に光ディスクを挿入ないし排出するディスクローディング部であるローディング装置１０が更に設けられている。一方、図３に示す宅内装置６はディスクのローディング装置１０、音声情報を再生する音声再生部である外部スピーカー８を備えている。
【００１１】
図２及び図３に示す宅内装置において、宅内装置６が縦置きあるいは横置きのいずれの状態で設置されているかに応じて、ユーザーはディスクの裏表の方向を正しく挿入する必要がある。このとき、宅内装置６の制御部は、筐体１の設置状態に応じて、縦置き状態ないし横置き状態の操作ガイドのいずれかを選択するとともに、選択された操作ガイドを出力する。具体的には、加速度センサー３が検知した設置状態（縦置き、横置き）に応じて、適切な操作ガイドを選択して内部スピーカー７乃至外部スピーカー８から音声で再生する。例えば、宅内装置６が横置き状態で設置されている場合、音声ガイドにて「装置は横置きです。ディスクの光る面を下側に向けてディスクトレイに設置し、軽くディスクトレイを押してください」等の音声で案内を行う。このように、音声で操作ガイドの補助を加えることによってユーザーの正確な操作に対するサポートを行うことが可能となり、従来の機器に比較して、ユニバーサル機能の向上を図ることが出来る。
【００１２】
図７は、本発明の実施の形態１に係る宅内装置の構成図である。図７は宅内装置６が落下して衝撃を受ける様子を示す。図７において図２と同一の符号は同一又は相当部分を示すので説明は省略する。図７に示すように、宅内装置６が意図せず落下した場合、外部から衝撃が加わり、破損する可能性がある。このとき、宅内装置６はバックアップのためのバッテリーである電池４を具備しているため、加速度センサー３が検知した衝撃の値は、外部電源の有無に関わらず、メモリ５に書き込まれて保持される。したがって、故障等によって、ユーザーから返却された宅内装置６について、メモリ５に残された衝撃の値などの履歴を参照し、メモリに記録された加速度の変化量を確認することによって、故障に至った原因を定量的に分析し、正確に故障原因を特定することが可能となる。
【００１３】
上記説明の通り、本発明に係る宅内装置は、縦置き、横置きといった設置方向を自己認識するため、加速度を認識するセンサーを具備する。また、ユーザーへのガイド手段として、音声出力デバイスを備えている。したがって、本発明に係る宅内装置は、加速度センサー３が検出した自己の設置方向に応じて適切なガイド情報を選択し、音声で具体的にユーザーに説明することができる。設置方向に応じてガイド内容を自動的に切り替えることによって、ユーザーに適切なガイド情報を伝えることが可能になった。
【００１４】
また、メモリとメモリのバックアップ用の電池は加速度センサーが検知した衝撃の時間変化の記録を保持するために用いるので、故障に至るまでの加速度の変化を定量的に記録することができ、より正確な故障原因の特定が可能となる。
【００１５】
実施の形態２．
以下、この発明の実施の形態２を図に基づいて説明する。図４、図５及び図６は本発明の実施の形態２に係る宅内装置を示す構成図である。図４において、宅内装置６は、映像情報を表示する映像表示部として、ＴＶなど音声と画像の出力が可能な機器９と接続されている。また、図５において、宅内装置６はさらに、宅内装置６の操作リモコン１１を備え、宅内装置６及びリモコン１１には操作ボタン１２が設けられている。宅内装置６の制御部は、操作ボタンまたは遠隔操作により入力される制御信号に応じて、操作ボタン又は制御信号に対応する操作のガイドを開始する。また、図６において、宅内装置６は宅内装置６本体に、映像情報を表示する映像表示部である画像ディスプレイ１３が設けられている。なお、図４から図６において、図３と同一の符号は同一又は相当部分を示すので説明は省略する。
【００１６】
図４、図５及び図６に示す宅内装置において、宅内装置６が縦置きあるいは横置きのいずれの状態で設置されているかに応じて、ユーザーはディスクの裏表の方向を正しく挿入する必要がある。このとき、宅内装置６は、加速度センサー３が検知した設置状態（縦置き、横置き）に応じて、設置方向に合わせた適切な操作ガイドをＴＶ９、ディスプレイ１３に映像情報として表示する。例えば、映像ガイドで「ディスクの設置方法やディスク裏表の方向の説明」等を映像で案内を行うと同時に、実際にディスクに挿入する映像を画面に映すことによって、高齢者等により具体的な操作ガイドを表示する。操作ガイドをディスプレイ上に画像情報として表示することにより、映像で具体的にユーザーに説明することができる。設置方向に応じてガイド内容を自動的に切り替えることによって、ユーザーに適切なガイド情報を伝えることが可能になった。
【００１７】
また、本発明に係る宅内装置６は、本体やリモコンの該当操作を開始するボタン１２（イジェクト（eject）ボタン）の押下を契機にガイドを開始する。例えば、リモコン１１ないし本体のボタン１２（例えばイジェクトボタン）を押すと、ユーザーはディスクを取り出す、あるいはセットする操作を行うことが予想されるため、ディスクをロードする方向に関する操作ガイド情報をディスプレイ９に表示する。このように構成することにより、ガイドの開始をメニュー画面等からのユーザー操作に頼らず、リモコン１１ないし本体のボタン１２に対応した、必要なシーンの操作ガイドの案内を自動的に開始することが可能になる。本機能により装置に高いユニバーサル機能を追加することが可能になる。
【００１８】
上記説明の通り、本発明に係る宅内装置は、設置方向を自己認識する加速度センサーを具備するので、設置方向に応じてガイド内容を自動的に切り替えることができる。また、ユーザーへのガイド手段として、映像を表示するディスプレイを備え、自己の設置方向に応じたユーザーへのガイド情報を、ビデオ映像で具体的に説明するので、自己の設置方向に応じたユーザーへのガイド情報を、ビデオ映像で具体的に説明することにより、高いユニバーサル機能を提供する。
【００１９】
なお、図４、図５及び図６に示す宅内装置にさらに内部スピーカー７乃至外部スピーカー８を設けることで、音声と映像の両インターフェースを持ち、画像と音声を組み合わせることによって操作ガイドをより親切に正確に伝えることができる。
【符号の説明】
【００２０】
１  筐体、２  必要な電子部品を実装する基板、３  加速度センサー、
４  メモリをバックアップする電池、５  メモリ、６  宅内装置、
７  内部音声出力装置(内部スピーカー)、８  外部音声出力装置(外部スピーカー)、
９  ＴＶなど音声と画像の出力が可能な機器、１０  ディスクトレイ、
１１  宅内装置の操作リモコン、１２  宅内装置内蔵の操作ボタン、
１３  宅内装置内蔵の画像ディスプレイ
【図１】
2014067465.tif 000003
【図２】
2014067465.tif 000004
【図３】
2014067465.tif 000005
【図４】
2014067465.tif 000006
【図５】
2014067465.tif 000007
【図６】
2014067465.tif 000008
【図７】
2014067465.tif 000009